(57)【要約】【課題】  ご飯とおかず等を分離して収納可能で、かつ、ご飯の量を増減したい場合に、ご飯を収納する部位の容積を必要に応じて増減しうるランチボックスを提供する。【解決手段】開口部を有し内部に食物を収納しうる収納部本体と、上記開口部を被覆しうる蓋体とを有するランチボックスであって、内部には反転した場合に収納部本体の収納量を変更しうる中蓋が設けられている。上記中蓋は、上記収納部本体が上記蓋体により被覆された状態において、収納部本体内方へ突出して配置されうると共に、反転した場合には上記蓋体方向へ突出して配置されうるように構成されている。【選択図】  図２
0003118788.tif 000002
【実用新案登録請求の範囲】
【請求項１】
開口部を有し内部に食物を収納しうる収納部本体と、上記開口部を被覆しうる蓋体とを有するランチボックスであって、内部には反転した場合に収納部本体の収納量を変更しうる中蓋が設けられていることを特徴とするランチボックス。
【請求項２】
上記中蓋は、上記収納部本体が上記蓋体により被覆された状態において、収納部本体内方へ突出して配置されうると共に、反転した場合には上記蓋体方向へ突出して配置されうるように構成されていることを特徴とする請求項１記載のランチボックス。
【請求項３】
上記中蓋は、上記蓋体方向へ突出して配置された場合に、上記蓋体との間に空隙が形成されるように構成されていることを特徴とする請求項１又は２記載のランチボックス。
【請求項４】
上記中蓋は、上記蓋体方向へ突出して配置された場合には、収納部本体の収納量を増加させるように上記蓋体との間で空間を画成するように構成されていることを特徴とする請求項１〜３記載のランチボックス。
【請求項５】
上記中蓋は、上記蓋体の上記収納部本体への接合部に係合しうるように構成されていることを特徴とする請求項１〜４記載のランチボックス。
【請求項６】
上記中蓋は、上記収納部本体の上縁部及び上記蓋体の下縁部とが係合しうる係合片部を有し、上記収納部本体及び上記蓋体は、上記中蓋の周縁部を介して互いに固定されることを特徴とする請求項１〜５記載のランチボックス。
【請求項７】
上記収納部本体は短円筒状に形成され、上記蓋体は上記収納部本体の開口部を被覆した場合には反収納部本体方向へ膨出する円盤皿状に形成され、上記中蓋は上記収納部本体及び蓋体の内側面部に当接しうる外側面部を有すると共に、上記係合片部は上記収納部本体の上縁部及び上記蓋体の下縁部の外側面部に当接しうるように構成されていることを特徴とする請求項１〜６記載のランチボックス。
【請求項８】
上記収納部本体、上記蓋体及び上記中蓋は電子レンジにて加熱しうる素材により形成されていることを特徴とする請求項１〜７記載のランチボックス。
【考案の詳細な説明】
【技術分野】
【０００１】
本考案はランチボックスに係り、特に、ご飯とおかず等を分離して収納可能なランチボックスに関する。
【背景技術】
【０００２】
ご飯とおかず等を分離して収納可能な弁当箱として、従来、特許文献１及び特許文献２に記載されたものが存在する。
【特許文献１】実開昭６３−１３０２２号公報
【特許文献２】実公平６−３６７５０号公報
【０００３】
上記特許文献１に記載された弁当箱は、飯容器と、おかず容器と、蓋とを上下方向に単に積み重ねて構成されている。
【０００４】
この特許文献１に記載された弁当箱は、上記飯容器の容積が一定なので、そこに収納するご飯の量を増やすことができないという不具合がある。
【０００５】
また、上記特許文献２に記載された弁当箱は、第１収納容器と、第２収納容器と、蓋部材とから構成され、上記第１収納容器にご飯を、上記第２収納容器の上におかず等をそれぞれ収納可能で、上記第２収納容器は上記第１収納容器に対し上下反転させて着脱可能に形成されている。
【０００６】
この特許文献２に記載された弁当箱は、上記第２収納容器に設けられたおかず等収納部が上記第１収納容器の容積を縮小させないように上方へ突出するように形成されているので、上記第１収納容器には十分な量のご飯を収納することができる。
【０００７】
しかしながら、上記第２収納容器を上下反転させて上記第１収納容器に嵌着した場合に、上記第２収納容器のおかず等収納部が上記第１収納容器内部の奥深く没入するように形成されているので、上記第１収納容器にはご飯を収納できるスペースが無くなってしまう。
【０００８】
すなわち、上記第２収納容器を上下反転可能に形成したのは、上記第１収納容器の容積を増減させて、そこに収納するご飯の量を調整可能にするためではなく、食事を終えて空になった弁当箱を持ち返りやすくするために、上記第２収納容器を上下反転して上記第１収納容器内に収納することにより、全体のサイズをコンパクトに縮小させうるように形成されたものである。
【考案の開示】
【考案が解決しようとする課題】
【０００９】
本考案の課題は、ご飯とおかず等を分離して収納可能で、かつ、ご飯の量を増減したい場合に、ご飯を収納する部位の容積を必要に応じて増減しうるランチボックスを提供することにある。
【課題を解決するための手段】
【００１０】
上記課題を解決するために、請求項１記載の本考案に係るランチボックスは、開口部を有し内部に食物を収納しうる収納部本体と、上記開口部を被覆しうる蓋体とを有するランチボックスであって、内部には反転した場合に収納部本体の収納量を変更しうる中蓋が設けられていることを特徴とする。
【００１１】
即ち、請求項１記載の本考案に係るランチボックスは、上記収納部本体と、上記蓋体と、上記中蓋という３部品により構成され、その中蓋を反転することにより収納部本体の食物の収納量を変更することができるように構成されている。
【００１２】
また、請求項２記載の本考案に係るランチボックスは、上記中蓋は、上記収納部本体が上記蓋体により被覆された状態において、収納部本体内方へ突出して配置されうると共に、反転した場合には上記蓋体方向へ突出して配置されうるように構成されていることを特徴とする。
【００１３】
即ち、請求項２記載の本考案に係るランチボックスは、上記中蓋が収納部本体内方へ突出して配置された場合には上記収納部本体の容積が減少し、上記中蓋が反転して上記蓋体方向へ突出して配置された場合には上記収納部本体の容積が増大するように構成されている。
【００１４】
また、請求項３記載の本考案に係るランチボックスは、上記中蓋は、上記蓋体方向へ突出して配置された場合に、上記蓋体との間に空隙が形成されるように構成されていることを特徴とする。
【００１５】
即ち、請求項３記載の本考案に係るランチボックスは、上記中蓋が上記蓋体方向へ突出して配置された場合にも、上記中蓋と上記蓋体との間に食物を収納しうる空隙が形成されるように構成されている。
【００１６】
また、請求項４記載の本考案に係るランチボックスは、上記中蓋は、上記蓋体方向へ突出して配置された場合には、収納部本体の収納量を増加させるように上記蓋体との間で空間を画成するように構成されていることを特徴とする。
【００１７】
即ち、請求項４記載の本考案に係るランチボックスは、上記収納部本体の容積を増大させて、同収納部本体の食物収納量を増加させたい場合は、上記中蓋が上記蓋体方向へ突出して配置されるように構成されている。
【００１８】
また、請求項５記載の本考案に係るランチボックスは、上記中蓋は、上記蓋体の上記収納部本体への接合部に係合しうるように構成されていることを特徴とする。
【００１９】
即ち、請求項５記載の本考案に係るランチボックスは、上記中蓋を装着する場合に、上記蓋体や上記収納部本体へ係合させるように構成され、その係合部位は上記蓋体と上記収納部本体の接合部位であり、当該接合部位は上記中蓋が係合しうるように形成されている。
【００２０】
また、請求項６記載の本考案に係るランチボックスは、上記中蓋は、上記収納部本体の上縁部及び上記蓋体の下縁部とが係合しうる係合片部を有し、上記収納部本体及び上記蓋体は、上記中蓋の周縁部を介して互いに固定されることを特徴とする。
【００２１】
即ち、請求項６記載の本考案に係るランチボックスは、上記中蓋の周縁部に上記係合片部が形成され、当該係合片部に上記収納部本体の上縁部及び上記蓋体の下縁部がそれぞれ係合して、上記収納部本体及び上記蓋体が固定されるように構成されている。
【００２２】
また、請求項７記載の本考案に係るランチボックスは、上記収納部本体は短円筒状に形成され、上記蓋体は上記収納部本体の開口部を被覆した場合には反収納部本体方向へ膨出する円盤皿状に形成され、上記中蓋は上記収納部本体及び蓋体の内側面部に当接しうる外側面部を有すると共に、上記係合片部は上記収納部本体の上縁部及び上記蓋体の下縁部の外側面部に当接しうるように構成されていることを特徴とする。
【００２３】
即ち、請求項７記載の本考案に係るランチボックスは、上記中蓋が上記収納部本体や上記蓋体に対し単に係合するだけではなく、上記中蓋の外側面部が上記収納部本体及び蓋体の内側面部に当接すると共に、上記中蓋の上記係合片部が上記収納部本体の上縁部及び上記蓋体の下縁部の外側面部に当接するこように構成されている。
【００２４】
また、請求項８記載の本考案に係るランチボックスは、上記収納部本体、上記蓋体及び上記中蓋は電子レンジにて加熱しうる素材により形成されていることを特徴とする。
【００２５】
即ち、請求項８記載の本考案に係るランチボックスは、電子レンジで加熱しても耐えうる素材を用いて形成されている。
【考案の効果】
【００２６】
請求項１記載の本考案に係るランチボックスは、開口部を有し内部に食物を収納しうる収納部本体と、上記開口部を被覆しうる蓋体とを有するランチボックスであって、内部には反転した場合に収納部本体の収納量を変更しうる中蓋が設けられていることから、例えば、上記収納部本体にご飯を収納し、おかずは上記中蓋と上記蓋体との間に形成される空隙に収納することにより、ご飯とおかずを分離して収納することができる。
また、上記収納部本体に収納したご飯の量を増減したい場合は、上記中蓋を上下反転させることにより容易に対応することができる。
【００２７】
また、請求項２記載の本考案に係るランチボックスは、上記中蓋は、上記収納部本体が上記蓋体により被覆された状態において、収納部本体内方へ突出して配置されうると共に、反転した場合には上記蓋体方向へ突出して配置されうるように構成されていることから、上記中蓋が収納部本体内方へ突出して配置された場合は、その収納部本体の容積が縮小して、その収納部本体に収納するご飯等の量を規制して容易に減少させることができると共に、上記中蓋を反転して上記蓋体方向へ突出して配置した場合には、上記収納部本体の容積が拡大してご飯等の量を容易に増大させることができる。
【００２８】
また、請求項３記載の本考案に係るランチボックスは、上記中蓋は、上記蓋体方向へ突出して配置された場合に、上記蓋体との間に空隙が形成されるように構成されていることから、上記中蓋が上記蓋体方向へ突出して配置されることにより上記収納部本体の容積が拡大した場合であっても、上記中蓋と上記蓋体との間には上記空隙が確保されているので、その空隙におかず等をご飯等とは分離して収納することができる。
【００２９】
また、請求項４記載の本考案に係るランチボックスは、上記中蓋は、上記蓋体方向へ突出して配置された場合には、収納部本体の収納量を増加させるように上記蓋体との間で空間を画成するように構成されていることから、上記中蓋を上記蓋体方向へ突出して配置することにより上記収納部本体の収納量を増加させる場合に、上記収納部本体の拡大された空間が確実に確保される。
【００３０】
また、請求項５記載の本考案に係るランチボックスは、上記中蓋は、上記蓋体の上記収納部本体への接合部に係合しうるように構成されていることから、上記中蓋を上記収納部本体や上記蓋体に対し係合させるために、上記収納部本体や上記蓋体の他の場所に被係合部を特別に設ける必要がなく、収納部本体や蓋体の構造が複雑化するのを回避することができる。
【００３１】
また、請求項６記載の本考案に係るランチボックスは、上記中蓋は、上記収納部本体の上縁部及び上記蓋体の下縁部とが係合しうる係合片部を有することから、上記係合片部により上記中蓋を上記収納部本体及び上記蓋体に対し容易に係合させることができる。
また、上記収納部本体及び上記蓋体は、上記中蓋の周縁部を介して互いに固定されることから、上記収納部本体は上記中蓋と上記蓋体の両方に固定する必要がなく、煩雑さが解消される。
【００３２】
また、請求項７記載の本考案に係るランチボックスは、上記収納部本体は短円筒状に形成され、上記蓋体は上記収納部本体の開口部を被覆した場合には反収納部本体方向へ膨出する円盤皿状に形成され、上記中蓋は上記収納部本体及び蓋体の内側面部に当接しうる外側面部を有すると共に、上記係合片部は上記収納部本体の上縁部及び上記蓋体の下縁部の外側面部に当接しうるように構成されていることから、上記収納部本体と、上記中蓋と、上記蓋体とを組み付けた状態では極めて密閉性が良好で、保温性及び保湿性に優れ、暖かい食物を収納した場合に冷めにくい。
【００３３】
また、請求項８記載の本考案に係るランチボックスは、上記収納部本体、上記蓋部及び上記中蓋は電子レンジにて加熱しうる素材により形成されていることから、上記収納部本体と、上記中蓋と上記蓋体との間の空隙とに、それぞれ分離して収納されたご飯とおかず等を電子レンジで簡単に温めて食することができる。
【考案を実施するための最良の形態】
【００３４】
以下、図面を用いて本考案の実施の形態について説明する。
本実施の形態に係るランチボックス１１は、図１〜図３に示すように、開口部１３を有し内部に食物を収納しうる収納部本体１２と、上記開口部１３を被覆しうる蓋体１４とを有するランチボックス１１であって、内部には反転した場合に収納部本体１２の収納量を変更しうる中蓋１５が設けられている。
また、上記中蓋１５は、図２に示すように、上記収納部本体１２が上記蓋体１４により被覆された状態において、収納部本体１２内方へ突出して配置されうると共に、反転した場合には、図３に示すように、上記蓋体１４方向へ突出して配置されうるように構成されている。
また、上記中蓋１５は、図３に示すように、上記蓋体１４方向へ突出して配置された場合に、上記蓋体１４との間に空隙３１が形成されるように構成されている。
また、上記中蓋１５は、図３に示すように、上記蓋体１４方向へ突出して配置された場合には、収納部本体１２の収納量を増加させるように上記蓋体１４との間で空間を画成するように構成されている。
また、上記中蓋１５は、図２及び図３に示すように、上記蓋体１４の上記収納部本体１２への接合部３２に係合しうるように構成されている。
また、上記中蓋１５は、図２及び図３に示すように、上記収納部本体１２の上縁部３３及び上記蓋体１４の下縁部３４とが係合しうる係合片部３５を有し、上記収納部本体１２及び上記蓋体１４は、上記中蓋１５の周縁部３６を介して互いに固定されるように構成されている。
また、図１に示すように、上記収納部本体１２は短円筒状に形成され、上記蓋体１４は上記収納部本体１２の開口部１３を被覆した場合には反収納部本体１２方向へ膨出する円盤皿状に形成され、図２及び図３に示すように、上記中蓋１５は上記収納部本体１２及び蓋体１４の内側面部３７，３８に当接しうる外側面部２５を有すると共に、上記係合片部３５は上記収納部本体１２の上縁部３３及び上記蓋体１４の下縁部３４の外側面部１７，２０に当接しうるように構成されている。
また、上記収納部本体１２、上記蓋体１４及び上記中蓋１５は電子レンジにて加熱しうる素材により形成されている。
【実施例１】
【００３５】
図示した本実施例に係るランチボックス１１は、図１〜図３に示すように、収納部本体１２と、中蓋１５と、蓋体１４という３部品により構成されている。
【００３６】
そして、上記中蓋１５は上記収納部本体１２の上に積み重ね可能で、上記蓋体１４は上記中蓋１５の上に積み重ねうるように形成されている。
【００３７】
即ち、上記ランチボックス１１は、収納部本体１２と、中蓋１５と、蓋体１４とを３段重ねしうるように構成されている。
【００３８】
上記収納部本体１２はポリプロピレンにより形成され、電子レンジの使用が可能である。
【００３９】
上記収納部本体１２は、図１〜図３に示すように、上端に開口部１３を有する短円筒状に形成されている。
【００４０】
上記収納部本体１２は、図２及び図３に示すように、その周壁部１６の外側面部１７における上端近傍に周方向に沿って外方へ横向きに突出した鍔部１８が形成されている。
【００４１】
また、上記蓋体１４はポリプロピレンにより形成され、電子レンジの使用が可能である。
【００４２】
上記蓋体１４は、図１〜図３に示すように、上記収納部本体１２の開口部１３を被覆可能に形成されている。
そして、上記蓋体１４は上記開口部１３を被覆した場合には、反収納部本体１２方向へ膨出する円盤皿状に形成されている。
【００４３】
上記蓋体１４は、図２及び図３に示すように、その周壁部１９の外側面部２０における下端近傍に周方向に沿って外方へ横向きに突出した鍔部２１が形成されている。
そして、上記鍔部２１の一部には、図２及び図３に示すように、指先を係止可能な爪部３０が外方へ突設されている。
【００４４】
また、上記中蓋１５はポリプロピレンにより形成され、電子レンジの使用が可能である。
【００４５】
上記中蓋１５は、図１〜図３に示すように、円盤皿状に形成され、その片面に突出面部２２を有し、反対側の片面には凹状面部２３を有している。
【００４６】
上記中蓋１５は、図２及び図３に示すように、周壁部２４を有し、その周壁部２４の外側面部２５に沿って外方へ横向きに突出する連結片部２６が形成されると共に、その連結片部２６の先端に周方向に沿って上記周壁部２４を取り囲むように、上記周壁部２４と平行な外周壁部２７が形成されている。そして、上記連結片部２６と上記外周壁部２７とにより断面Ｔ字状の係合片部３５が構成されている。
【００４７】
上記中蓋１５は、図２及び図３に示すように、上記周壁部２４と上記係合片部３５における上記外周壁部２７との間で、上記連結片部２６の上下にそれぞれ上方及び下方が開放された溝部２８，２９が形成されている。
上記の上下の溝部２８，２９は背中合わせに、上下対称に配置されており、幅は同一である。
【００４８】
なお、上記収納部本体１２と、上記中蓋１５と、上記蓋体１４の全ての部位は、厚さ寸法が２ｍｍに統一されている。
【００４９】
また、上記中蓋１５に形成された上記溝部２８，２９の幅寸法は２ｍｍより僅かに大きい値に設定されている。
【００５０】
また、上記中蓋１５は、図２及び図３に示すように、上記蓋体１４の上記収納部本体１２への接合部３２に係合しうるように構成されている。
【００５１】
即ち、上記中蓋１５は、図２及び図３に示すように、上記係合片部３５が上記収納部本体１２の上縁部３３及び上記蓋体１４の下縁部３４とに係合して、上記収納部本体１２及び上記蓋体１４が上記中蓋１５の周縁部３６を介して互いに固定されるように構成されている。
【００５２】
なお、上記係合片部３５が上記収納部本体１２の上縁部３３及び上記蓋体１４の下縁部３４と係合した状態では、図２及び図３に示すように、上記収納部本体１２の上縁部３３及び上記蓋体１４の下縁部３４が、それぞれ、上記溝部２９，２８に挿入し、上記中蓋１５の外側面部２５が上記収納部本体１２及び蓋体１４の内側面部３７，３８に当接すると共に、上記係合片部３５の外周壁部２７が上記収納部本体１２の上縁部３３及び上記蓋体１４の下縁部３４の外側面部１７，２０に当接するように構成されている。
【００５３】
次に本実施例に係るランチボックス１１の作用について説明する。
まず、図２及び図３に示すように、上記中蓋１５が上記収納部本体１２と上記蓋体１４との間に配置されることにより、ランチボックス11内の空間は上記中蓋１５により上下に画成されることになる。
従って、上記収納部本体１２と、上記中蓋15及び上記蓋体１４との間に形成された空隙３１には、それぞれ食物を分離して収納することができ、例えば、上記収納部本体１２にご飯を収納し、上記空隙３１にはおかずを収納することができる。
【００５４】
上記中蓋１５は、図２に示すように、上記凹状面部２３を上向きにして配置することができる。
この中蓋１５の配置状態では、上記中蓋１５における上記突出面部２２は上記収納部本体１２の内方に突出することになり、上記収納部本体１２の容積は縮小するが、上記中蓋15と上記蓋体１４との間に形成される上記空隙３１の容積は拡大する。
【００５５】
このときの、上記収納部本体１２の底面部３９と上記中蓋１５の突出面部２２との間隔は４２ｍｍで、上記中蓋１５の上記凹状面部２３と上記蓋体１４の天面部４０との間隔は３２ｍｍとなるように寸法が設定されている。
【００５６】
従って、上記中蓋１５を図２に示すような配置にすれば、ご飯とおかずとを別個に収納することができる。
【００５７】
次に、図３に示すように、上記中蓋１５は、上記突出面部２２を上向きにして配置することができる。
この中蓋１５の配置状態では、上記中蓋１５における上記突出面部２２は上記蓋体１４の内方に突出することになり、上記収納部本体１２の容積は拡大するが、上記中蓋15と上記蓋体１４との間に形成される上記空隙３１の容積は縮小する。
【００５８】
このときの、上記収納部本体１２の底面部３９と上記中蓋１５の上記凹状面部２３との間隔は６８ｍｍとなり、上記中蓋１５の上記突出面２２と上記蓋体１４の天面部４０との間隔は６ｍｍとなる。
【００５９】
従って、上記中蓋１５を図３に示すような配置にすれば、上記中蓋１５で仕切られた収納部本体１２内に、ご飯の上におかずをトッピングした状態で収納すると共に、上記中蓋１５と蓋体１４との間にきざみのりやふりかけを収納することもできる。
【産業上の利用可能性】
【００６０】
本考案は、ご飯とおかずを分離して収納しうるランチボックスに適用可能である。
【図面の簡単な説明】
【００６１】
【図１】本考案の実施例に係るランチボックスの外観を示す斜視図である。
【図２】本考案の実施例に係るランチボックスを示すもので、中蓋が突出面部を下向きにして配置された状態の断面図である。
【図３】本考案の実施例に係るランチボックスを示すもので、中蓋が突出面部を上向きにして配置された状態の断面図である。
【符号の説明】
【００６２】
１１  ランチボックス
１２  収納部本体
１３  開口部
１４  蓋体
１５  中蓋
１６  周壁部
１７  外側面部
１８  鍔部
１９  周壁部
２０  外側面部
２１  鍔部
２２  突出面部
２３  凹状面部
２４  周壁部
２５  外側面部
２６  連結片部
２７  外周壁部
２８  溝部
２９  溝部
３０  爪部
３１  空隙
３２  接合部
３３  上縁部
３４  下縁部
３５  係合片部
３６  周縁部
３７  内側面部
３８  内側面部
３９  底面部
４０  天面部
【図１】
0003118788.tif 000003
【図２】
0003118788.tif 000004
【図３】
0003118788.tif 000005